(57)【要約】【課題】注記に適切な読み仮名を付与する。【解決手段】本実施形態の地図作成装置（２）は、注記と、注記の地図上での表示位置を示す位置情報と、を紐付けて記憶する記憶手段（２１２）と、読み仮名付与対象の注記と位置情報とを記憶手段（２１２）から抽出する抽出手段（２２１）と、抽出した注記と位置情報とを用いて、Ｗｅｂ検索を行い、注記に付与する読み仮名を特定する特定手段（２２４）と、特定した読み仮名を注記に紐付けて記憶手段（２１２）に記憶する付与手段（２２５）と、を有することを特徴とする。【選択図】図１
2020160213.tif 000002
【特許請求の範囲】
【請求項１】
注記と、前記注記の地図上での表示位置を示す位置情報と、を紐付けて記憶する記憶手段と、
読み仮名付与対象の注記と位置情報とを前記記憶手段から抽出する抽出手段と、
抽出した前記注記と前記位置情報とを用いて、Ｗｅｂ検索を行い、前記注記に付与する読み仮名を特定する特定手段と、
特定した前記読み仮名を前記注記に紐付けて前記記憶手段に記憶する付与手段と、
を有することを特徴とする地図作成装置。
【請求項２】
抽出した前記位置情報を住所情報に変換する変換手段を有し、
前記検索手段は、変換した前記住所情報を用いて、前記Ｗｅｂ検索を行う、ことを特徴とする請求項１記載の地図作成装置。
【請求項３】
前記特定手段は、Ｗｅｂ検索結果の中から特定のキーワードと特定の位置関係にある文字を読み仮名として特定する、ことを特徴とする請求項１または２記載の地図作成装置。
【請求項４】
前記記憶手段は、前記注記がどの注記種別に属するかを特定する属性情報を紐付けて記憶し、
前記検索手段は、前記属性情報を用いて、前記Ｗｅｂ検索を行う、ことを特徴とする請求項１から３のいずれかに記載の地図作成装置。
【請求項５】
前記特定手段は、前記読み仮名を複数特定した場合は、前記読み仮名として特定した特定回数が最も多い読み仮名を前記注記に付与する読み仮名とする、ことを特徴とする請求項１から４のいずれかに記載の地図作成装置。
【請求項６】
前記特定手段は、複数の前記読み仮名の特定回数の合計に占める前記注記に付与する前記読み仮名の特定回数の割合を算出し、
前記付与手段は、前記割合を前記記憶手段に記憶する、ことを特徴とする請求項５記載の地図作成装置。
【請求項７】
前記変換手段は、前記住所情報に変換した際の精度を特定する精度情報を取得し、
前記付与手段は、前記精度情報を前記記憶手段に記憶する、ことを特徴とする請求項２記載の地図作成装置。
【請求項８】
前記記憶手段に記憶された前記読み仮名及び前記割合を付与した前記注記を、前記位置情報を基に地図上に表示した地図画像を生成し、該生成した地図画像の情報を出力する地図情報提供手段を有することを特徴とする請求項６記載の地図作成装置。
【請求項９】
前記記憶手段に記憶された前記読み仮名及び前記精度情報を付与した前記注記を、前記位置情報を基に地図上に表示した地図画像を生成し、該生成した地図画像の情報を出力する地図情報提供手段を有することを特徴とする請求項７記載の地図作成装置。
【請求項１０】
地図作成装置で行う方法であって、
注記と、前記注記の地図上での表示位置を示す位置情報と、を紐付けて記憶する記憶手段を参照し、読み仮名付与対象の注記と位置情報とを前記記憶手段から抽出する抽出工程と、
抽出した前記注記と前記位置情報とを用いて、Ｗｅｂ検索を行い、前記注記に付与する読み仮名を特定する特定工程と、
特定した前記読み仮名を前記注記に紐付けて前記記憶手段に記憶する付与工程と、
を前記地図作成装置が行うことを特徴とする方法。
【請求項１１】
地図作成装置のコンピュータに実行させるプログラムであって、
注記と、前記注記の地図上での表示位置を示す位置情報と、を紐付けて記憶する記憶手段を参照し、読み仮名付与対象の注記と位置情報とを前記記憶手段から抽出する抽出処理と、
抽出した前記注記と前記位置情報とを用いて、Ｗｅｂ検索を行い、前記注記に付与する読み仮名を特定する特定処理と、
特定した前記読み仮名を前記注記に紐付けて前記記憶手段に記憶する付与処理と、
を前記コンピュータに実行させることを特徴とするプログラム。
【発明の詳細な説明】
【技術分野】
【０００１】
本発明は、注記を適切な読み仮名に変換する技術に関する。
【背景技術】
【０００２】
注記を適切な読み仮名に変換する技術として、例えば、特許文献１がある。
【０００３】
特許文献１は、注記の漢字部分について、地域対応読み仮名辞書を用いて、地域に対応する読み仮名に変換している。これにより、注記を適切な読み仮名に変換している。
【先行技術文献】
【特許文献】
【０００４】
【特許文献１】特開２０１３−１１３８８２号公報
【発明の概要】
【発明が解決しようとする課題】
【０００５】
特許文献１は、地域性を考慮した適切な読み仮名に変換するために地域対応読み仮名辞書を予め整備しておく必要がある。また、地域対応読み仮名辞書に格納されていない漢字については、読み仮名に変換することができない。
【課題を解決するための手段】
【０００６】
本発明は、上述の課題の少なくとも一部を解決するものであり、以下の形態として実現することが可能である。
【０００７】
本発明の一態様に係る地図作成装置は、
注記と、前記注記の地図上での表示位置を示す位置情報と、を紐付けて記憶する記憶手段と、
読み仮名付与対象の注記と位置情報とを前記記憶手段から抽出する抽出手段と、
抽出した前記注記と前記位置情報とを用いて、Ｗｅｂ検索を行い、前記注記に付与する読み仮名を特定する特定手段と、
特定した前記読み仮名を前記注記に紐付けて前記記憶手段に記憶する付与手段と、
を有することを特徴とする。
【図面の簡単な説明】
【０００８】
【図１】地図情報提供システムの構成例を示す図である。
【図２】注記データ記憶部に記憶されているデータ構成例を示す図である。
【図３】地図作成装置の処理動作例を示す図である。
【図４】地図作成装置の処理動作例を示す図である。
【発明を実施するための形態】
【０００９】
以下、添付図面を参照して、本発明の好適な実施形態について説明する。なお、各図において、同一の符号を付したものは、同一又は同様の構成を有する。
【００１０】
＜地図情報提供システムの構成例＞
まず、図１を参照しながら、本実施形態に係る地図情報提供システムの構成例について説明する。図１は、本実施形態に係る地図情報提供システムの構成例を示す図である。
【００１１】
本実施形態に係る地図情報提供システムは、図１に示すように、利用者端末１、地図作成装置２、管理者端末３がネットワークＮＷを介して接続して構成する。ネットワークＮＷは、有線、無線を問わずあらゆる通信形態が適用可能である。
【００１２】
利用者端末１は、地図を利用する利用者が使用する端末である。利用者端末１は、スマートフォン、ＰＣなどの装置があげられる。利用者端末１は、制御部１１、記憶部１２、入力部１３、表示部１４を有して構成する。
【００１３】
制御部１１は、利用者端末１の各部を制御するほか、地図情報取得部１１１として機能する。
【００１４】
地図情報取得部１１１は、地図作成装置２から地図情報を取得し、表示部１４に地図を表示する。
【００１５】
記憶部１２は、利用者端末１で使用する各種情報を記憶する。入力部１３は、利用者端末１と利用者との間の情報の入力に使用される種々のインターフェースである。入力部１３としては、例えば、タッチパネル、操作ボタン、マイクなどがあげられる。表示部１４は、地図などの各種情報を表示する。
【００１６】
管理者端末３は、地図を整備する管理者が使用する端末である。管理者端末３は、スマートフォン、ＰＣなどの装置があげられる。管理者端末３は、利用者端末１と同様に、制御部３１、記憶部３２、入力部３３、表示部３４を有して構成する。管理者端末３の各部の機能は、利用者端末１と同様であるため、説明は省略する。
【００１７】
地図作成装置２は、地図を作成する装置である。地図作成装置２は、サーバなどの装置があげられる。地図作成装置２は、記憶部２１、制御部２２を有して構成する。
【００１８】
記憶部２１は、地図作成装置２で使用する各種情報を記憶する。記憶部２１は、地図データ記憶部２１１、地図注記データ記憶部２１２、バッファメモリ２１３を含んでいる。
【００１９】
地図データ記憶部２１１は、ベクトルデータやラスタデータなどの地図用の描画データを位置情報（例えば、緯度、経度）に対応付けて記憶する。地図データは、例えば、道路、鉄道、河川、山岳、施設、住宅などの所定の種別毎に形成され、レイヤ構造になっている。
【００２０】
注記データ記憶部２１２は、地図上に表示する注記を位置情報（例えば、緯度、経度）に対応付けて記憶する。注記は、地図データと同様に、所定の種別毎に形成され、レイヤ構造になっている。注記は、例えば、地名、施設名、ビル名などがあげられる。
【００２１】
注記データ記憶部２１２は、例えば、図２に示すように、注記レイヤ、注記種別、注記、位置情報、読み仮名、精度情報を対応付けて記憶する。注記レイヤは、注記がどの注記レイヤに属するかを特定する情報である。注記種別は、注記がどの注記種別に属するかを特定する情報である。注記種別としては、例えば、「文化施設名称」、「自然緑地名称」、「山名称」、「水域名称」、「官公庁名称」、「都道府県名称」、「商業施設名称」などがあげられる。注記は、施設や場所などの地図上の対象物に関する情報を文字などによって描画するためのデータである。位置情報は、地図上での注記の表示位置を特定する情報である。読み仮名は、注記の読み仮名を特定する情報である。精度情報は、注記の読み仮名の精度を特定する情報である。図２に示す読み仮名、精度情報は、後述する地図作成装置２の処理により地図注記データ記憶部２１２に記憶される。
【００２２】
バッファメモリ２１３は、地図作成装置２で処理する各種情報を記憶する。
【００２３】
制御部２２は、地図作成装置２の各部を制御するほか、注記抽出部２２１、住所情報変換部２２２、情報検索部２２３、読み仮名特定部２２４、読み仮名付与部２２５、地図情報提供部２２６として機能する。
【００２４】
注記抽出部２２１は、読み仮名付与対象の注記に関する情報（例えば、注記、位置情報）を注記データ記憶部２１２から抽出する。読み仮名付与対象の注記は、地図作成装置２が任意に決定してもよい。
【００２５】
住所情報変換部２２２は、注記抽出部２２１が抽出した位置情報を住所情報に変換する。例えば、住所変換エンジンなどを使って位置情報を基に逆ジオコーディングを行い、位置情報に対応する住所情報に変換する。これにより、住所情報変換部２２２は、郵便番号や、都道府県名レベル（××県）、市区町村名レベル（××県＊＊市）、街区名レベル（××県＊＊市△丁目□番）などの住所情報を取得することができる。
【００２６】
情報検索部２２３は、住所情報変換部２２２で変換した住所情報と、注記抽出部２２１で抽出した注記と、を用いて、Ｗｅｂ検索を行い、検索結果を取得する。例えば、住所情報と注記とを検索キーワードとし、その検索キーワードを基に、Ｗｅｂ検索を実行し、検索キーワードに関係するＷｅｂページの検索結果を取得する。これにより、情報検索部２２３は、住所情報と注記との検索キーワードを含むＷｅｂページの検索結果を取得することができる。また、住所情報を基にＷｅｂ検索を行い、住所情報に該当する画像を取得し、その画像を解析し、注記が含まれる画像の検索結果を取得する。これにより、情報検索部２２３は、住所情報と注記とに結びついた画像の検索結果を取得することができる。画像には主にＧＰＳ緯度経度情報（ジオタグ）が付与されているため、画像を取得する場合は、位置情報を用いた方が好ましい。情報検索部２２３は、検索結果をバッファメモリ２１３に記憶する。情報検索部２２３は、「読み仮名」、「ふりがな」などを検索キーワードに含めてもよい。これにより、「読み仮名」、「ふりがな」を含むＷｅｂページの検索結果を取得することができる。また、注記データ記憶部２１２に記憶されている「注記種別」の情報を検索キーワードに含めてもよい。これにより、「注記種別」のジャンルに絞り込んだＷｅｂページの検索結果を取得することができる。
【００２７】
読み仮名特定部２２４は、バッファメモリ２１３に記憶されている検索結果の中から注記に付与する読み仮名を特定する。例えば、検索結果に含まれる注記の周辺に存在する特定のキーワードを検出し、その検出した特定のキーワードと特定の位置関係にある文字を読み仮名として特定する。特定のキーワードの間に位置する文字を読み仮名として特定する例としては、括弧（例えば、（＊＊＊）、「＊＊＊」など）の中に位置する＊＊＊を読み仮名として特定する。また、特定のキーワードの後ろに位置する文字を読み仮名として特定する例としては、読み：＊＊＊、ヨミ：＊＊＊、ふりがな：＊＊＊、フリガナ：＊＊＊の後ろに位置する＊＊＊を読み仮名として特定する。例えば、検索結果に、「新宿（あらじゅく）」が含まれているとする。この場合、読み仮名特定部２２４は、注記である「新宿」の周辺に存在する特定のキーワードである（  ）を検出する。そして、その検出した（  ）の間に位置する文字である「あらじゅく」を読み仮名として特定する。これにより、読み仮名特定部２２４は、検索結果の中から、特定のキーワードと特定の位置関係にある「あらじゅく」の文字を読み仮名として特定することができる。
【００２８】
読み仮名特定部２２４は、検索結果の中から複数の読み仮名を特定した場合、例えば、以下のいずれかの方法で、複数の読み仮名の中から注記に付与する読み仮名を特定する。
【００２９】
第１の方法としては、検索結果一覧の中から読み仮名として特定した特定回数が最も多い読み仮名を注記に付与する読み仮名とする。例えば、検索結果一覧の中から「新宿」の読み仮名として「あらじゅく」、「しんじゅく」の２つを特定し、「あらじゅく」の特定回数が１５で、「しんじゅく」の特定回数が５とする。この場合、読み仮名特定部２２４は、特定回数が最も多い「あらじゅく」を「新宿」の注記に付与する読み仮名とする。そして、読み仮名特定部２２４は、複数の読み仮名の特定回数の合計に占める注記に付与する読み仮名の特定回数の割合を算出する。例えば、上記の場合、「新宿」の注記に付与する「あらじゅく」の読み仮名の特定回数の割合は、１５/２０＝０．７５となる。この割合を、「新宿」の注記に付与する「あらじゅく」の読み仮名の精度情報とする。
【００３０】
第２の方法としては、検索結果から特定したそれぞれの読み仮名毎に、注記と住所情報と読み仮名とを検索キーワードとしてＷｅｂ検索を再度行い、検索のヒット件数が最も多い読み仮名を注記に付与する読み仮名とする。例えば、検索結果の中から「新宿」の読み仮名として「あらじゅく」、「しんじゅく」の２つを特定し、新宿、住所情報、あらじゅくの検索キーワードによる検索のヒット件数が１５０件、新宿、住所情報、しんじゅくの検索キーワードによる検索のヒット件数が５０件とする。この場合、読み仮名特定部２２４は、検索のヒット件数が最も多い「あらじゅく」を「新宿」の注記に付与する読み仮名とする。そして、読み仮名特定部２２４は、複数の読み仮名の検索のヒット件数の合計に占める注記に付与する読み仮名の検索のヒット件数の割合を算出する。例えば、上記の場合、「新宿」の注記に付与する「あらじゅく」の読み仮名の検索のヒット件数の割合は、１５０/２００＝０．７５となる。この割合を、「新宿」の注記に付与する「あらじゅく」の読み仮名の精度情報とする。
【００３１】
読み仮名付与部２２５は、読み仮名特定部２２４が特定した読み仮名を注記に紐付けて注記データ記憶部２１２に記憶する。また、読み仮名付与部２２５は、読み仮名特定部２２４が算出した割合を精度情報として注記データ記憶部２１２に記憶する。
【００３２】
地図情報提供部２２６は、利用者端末１から地図情報の取得要求を受け付けた場合に、地図データ記憶部２１１に記憶されている地図データ、注記データ記憶部２１２に記憶されている注記、位置情報、読み仮名を基に、地図上に注記を重畳すると共に、その注記に読み仮名を付与した地図画像を生成し、その地図画像の情報を利用者端末１に出力する。注記に読み仮名を付与する場合は、注記データ記憶部２１２に記憶されている精度情報を基に、所定の精度以上の読み仮名のみを注記に付与するようにしてもよい。例えば、精度情報が８０％以上の読み仮名のみを注記に付与する。これにより、地図情報提供部２２６は、精度の高い読み仮名のみを利用者端末１に提供することができる。なお、地図作成装置２の管理者が管理者端末３から注記を確認する際は、注記に読み仮名及び精度情報を付与するようにしてもよい。これにより、管理者は、精度情報を基に読み仮名の精度を把握し、管理者端末３を操作して注記データ記憶部２１２に記憶されている精度の低い注記の読み仮名を修正することができる。地図情報提供部２２６は、管理者が管理者端末３から注記を確認する際は、精度情報の低い読み仮名を強調して地図上に表示するようにしてもよい。または、精度情報の低い読み仮名のみを地図上に表示するようにしてもよい。これにより、管理者は、精度情報の低い読み仮名のみを管理者端末３上で容易に把握することができる。
【００３３】
＜地図作成装置２の処理動作例＞
次に、図３を参照しながら、地図作成装置２の処理動作例について説明する。図３は、注記の読み仮名を付与する処理動作例を示す図である。
【００３４】
地図作成装置２は、注記データ記憶部２１２から読み仮名付与対象の注記、位置情報を抽出する（ステップＳ１）。
【００３５】
地図作成装置２は、抽出した位置情報を住所情報に変換する（ステップＳ２）。
【００３６】
地図作成装置２は、注記、住所情報を用いて、Ｗｅｂ検索を実行し、検索キーワードに関係するＷｅｂページの検索結果を取得する（ステップＳ３）。地図作成装置２は、検索結果をバッファメモリ２１３に記憶する。
【００３７】
地図作成装置２は、バッファメモリ２１３に記憶した検索結果の中から注記に付与する読み仮名を特定する（ステップＳ４）。
【００３８】
地図作成装置２は、ステップＳ４で特定した読み仮名を注記に付与して注記データ記憶部２１２に記憶する（ステップＳ５）。これにより、地図作成装置２は、図２に示すように、注記に対して読み仮名を付与することができる。
【００３９】
＜本実施形態にかかる地図情報提供システムの作用・効果＞
本実施形態の地図情報提供システムは、利用者端末１、地図作成装置２、管理者端末３を有して構成する。地図作成装置２は、注記データ記憶部２１２に記憶されている注記と位置情報とを基に、Ｗｅｂクローリングを行い、注記に関する情報をＷｅｂサイトから取得し、その取得した情報を基に、注記に付与する読み仮名を特定し、該特定した読み仮名を注記に紐付けて注記データ記憶部２１２に記憶する。これにより、地図作成装置２は、辞書などを用いることなく、注記に対して読み仮名を付与することができる。
【００４０】
また、地図作成装置２は、注記に読み仮名を付与して注記データ記憶部２１２に記憶している。これにより、利用者端末１の利用者や管理者端末３の管理者は、注記に付与された読み仮名を参照し、注記の読み仮名を把握することができる。
【００４１】
＜変形例＞
上述した実施形態は、本発明の好適な実施形態であり、上述した実施形態のみに本発明の範囲を限定するものではなく、本発明の要旨を逸脱しない範囲において種々の変更を施した形態での実施が可能である。
【００４２】
（変形例１）
上述した実施形態において、地図作成装置２は、注記、住所情報を基に、Ｗｅｂ検索を実行し、検索結果を取得した後に（ステップＳ３）、その検索結果の中から注記に付与する読み仮名を特定することにしている（ステップＳ４）。しかし、Ｗｅｂ検索を実行した際に、注記に付与する読み仮名を取得するようにしてもよい。
【００４３】
（変形例２）
上述した実施形態において、地図作成装置２は、位置情報を使って、Ｗｅｂ検索を行うようにしてもよい。この場合も、地図作成装置２は、辞書などを用いることなく、注記に対して読み仮名を付与することができる。
【００４４】
（変形例３）
上述した実施形態において、住所情報変換部２２２は、位置情報に対応する住所情報に変換する際に、その住所情報の精度情報を取得してもよい。例えば、精度情報となる精度値を０〜９の１０段階とし、最も精度が低い値を０とし、最も精度が高い値を９とした場合、位置情報から郵便番号レベルの住所情報に変換できた場合は、住所情報の精度値を５とし、街区レベル（「○○町△丁目□番」）の住所情報に変換できた場合は、住所情報の精度値を８とし、ビル名、店名レベルの住所情報に変換できた場合は、住所情報の精度値を９とする。また、住所情報を「都道府県」、「市区町村」、「町域」、「丁目、番、号」、「ビル名」、「号棟、階数、号室」といった構成要素に分割し、位置情報から変換できた住所情報がどの構成要素までの情報を含むかによって住所情報の精度情報を決定してもよい。住所情報変換部２２２は、位置情報から複数の住所情報を取得した場合は、最も精度情報の高い住所情報を採用する。
【００４５】
位置情報変換部２２２が精度情報を取得した場合、読み仮名付与部２２５は、位置情報変換部２２２が取得した精度情報を注記データ記憶部２１２に記憶する。そして、地図情報提供部２２６は、利用者端末１から地図情報の取得要求を受け付けた場合に、注記データ記憶部２１２に記憶されている精度情報を基に、所定の精度以上の読み仮名のみを注記に付与した地図画像を生成し、その地図画像の情報を利用者端末１に出力する。これにより、利用者端末１の利用者は、精度の高い読み仮名を地図上で把握することができる。なお、地図作成装置２の管理者が管理者端末３から注記を確認する際は、注記に読み仮名及び精度情報を付与するようにしてもよい。これにより、地図作成装置２の管理者は、精度情報を基に読み仮名の精度を把握し、精度の低い注記の読み仮名を修正することができる。
【００４６】
（変形例４）
上述した実施形態において、地図作成装置２は、注記データ記憶部２１２に記憶されている注記と位置情報とを基に、各種施設情報（ＰＯＩ）コンテンツデータや、地域対応読み仮名辞書を検索しても、注記に対して読み仮名を付与することができない場合に、注記データ記憶部２１２に記憶されている注記と位置情報とを基に、Ｗｅｂクローリングを行い、注記に対して読み仮名を付与するようにしてもよい。これにより、ＰＯＩコンテンツデータや辞書に整備されていない注記に対しても読み仮名を付与することができる。この場合、注記に付与した読み仮名は、ＰＯＩコンテンツデータ、辞書、Ｗｅｂクローリングの何れによるものかを特定する情報を注記データ記憶部２１２に記憶する。これにより、利用者端末１の利用者や管理者端末３の管理者は、読み仮名の付与対象先を特定することができる。
【００４７】
（変形例５）
上述した実施形態において、地図作成装置２は、漢字と読み仮名（ふりがな）とを対応付けた変換ＤＢを参照し、注記の漢字部分を読み仮名に変換できない場合に、注記データ記憶部２１２に記憶されている注記と位置情報とを基に、Ｗｅｂクローリングを行い、注記に対して読み仮名を付与するようにしてもよい。具体的な処理動作例を図４に示す。
【００４８】
図４に示すように、地図作成装置２は、注記データ記憶部２１２から読み仮名付与対象の注記を抽出し、抽出した注記の漢字部分を特定する（ステップＡ１）。
【００４９】
次に、地図作成装置２は、変換ＤＢを参照し、ステップＡ１で特定した漢字部分に該当する読み仮名を検索する（ステップＡ２）。
【００５０】
地図作成装置２は、漢字部分に該当する読み仮名がある場合は（ステップＡ３/Ｙｅｓ）、該当する読み仮名が１つか否かを判断する（ステップＡ４）。該当する読み仮名が１つの場合は（ステップＡ４/Ｙｅｓ）、地図作成装置２は、その該当読み仮名を注記に付与して注記データ記憶部２１２に記憶する（ステップＡ５）。
【００５１】
また、ステップＡ３において漢字部分に該当する読み仮名がない場合（ステップＡ３/Ｎｏ）、または、ステップＡ４において注記に該当する読み仮名が複数ある場合は（ステップＡ４/Ｎｏ）、図３に示すフローとほぼ同様な処理を行い、読み仮名付与対象の注記の位置情報を注記データ記憶部２１２から抽出し、注記と位置情報とを基に、Ｗｅｂクローリングを行い、注記に対して読み仮名を付与して注記データ記憶部２１２に記憶する（ステップＳ１〜Ｓ５）。なお、ステップＡ４において注記に該当する読み仮名が複数ある場合は（ステップＡ４/Ｎｏ）、注記と位置情報とを基に、Ｗｅｂクローリングを行い、注記に該当する複数の読み仮名の中から、最も特定回数の多い読み仮名を注記に付与するようにしてもよい。本実施形態の地図作成装置２は、図４に示す処理動作を行うことで、変換ＤＢを参照しても注記に読み仮名を付与できない場合は、Ｗｅｂクローリングを行い、注記に対して読み仮名を付与することができる。
【００５２】
（変形例６）
地図作成装置２において読み仮名を付与する注記は、管理者端末３から指定するようにしてもよい。指定方法は、地図作成装置２の注記データ記憶部２１２に記憶されている注記の中から、読み仮名を付与する対象の注記を指定することが可能であれば特に限定せず、あらゆる指定方法が適用可能である。例えば、管理者端末３は、注記データ記憶部２１２に記憶されている注記のリストを地図作成装置２から取得し、表示部３４に表示し、そのリストの中から付与対象の注記を指定するようにしてもよい。また、管理者端末３は、注記が表示された地図を地図作成装置２から取得し、表示部３４に表示し、その表示された地図の中から読み仮名付与対象の注記を指定するようにしてもよい。また、表示部３４に表示された地図の中から読み仮名付与対象のエリアを選択し、その選択したエリアに含まれる注記を読み仮名付与対象の注記として指定するようにしてもよい。
【００５３】
（変形例７）
上述した本実施形態の利用者端末１、地図作成装置２、管理者端末３を構成する各部の制御動作は、ハードウェア、または、ソフトウェア、あるいは、両者の複合構成を用いて実行することも可能である。
【００５４】
ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００５５】
例えば、プログラムは、記録媒体としてのハードディスクやＲＯＭに予め記録しておくことが可能である。あるいは、プログラムは、リムーバブル記録媒体に一時的、あるいは、永続的に記録しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００５６】
なお、プログラムは、上述したようなリムーバブル記録媒体からコンピュータにインストールすることになる。また、ダウンロードサイトからコンピュータに無線で転送することになる。また、ネットワークを介してコンピュータに有線で転送することになる。
【００５７】
プログラムの形態としては、クラウド等によるネット上のサーバからの利用もありえる。一部のプログラムのみをコンピュータに転送して利用する形態もありえる。
【００５８】
（変形例８）
上述した実施形態の地図情報提供システムを構成する各部は、上述した実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。また、上述した実施形態の地図情報提供システムの各機能を複数の情報処理装置の協働によって実現してもよく、上述した記憶部２１に記憶した情報のうちの少なくとも一部は、他の装置の内部／外部記憶装置に記憶されていてもよく、例えばクラウド上に構築されていてもよい。
【符号の説明】
【００５９】
１    利用者端末
１１    制御部
１１１    地図情報取得部
１２    記憶部
１３    入力部
１４    表示部
２    地図作成装置
２１    記憶部
２１１    地図データ記憶部
２１２    注記データ記憶部
２１３    バッファメモリ
２２    制御部
２２１    注記抽出部
２２２    住所情報変換部
２２３    情報検索部
２２４    読み仮名特定部
２２５    読み仮名付与部
２２６    地図情報提供部
３    管理者端末
３１    制御部
３１１    地図情報取得部
３２    記憶部
３３    入力部
３４    表示部
ＮＷ    ネットワーク
【図１】
2020160213.tif 000003
【図２】
2020160213.tif 000004
【図３】
2020160213.tif 000005
【図４】
2020160213.tif 000006